(57)【要約】【課題】隣り合う間仕切パネル間の対向側面における遮音性を向上させる。【解決手段】部屋１の天井２または天井付近に配設された左右方向を向くレール３に、複数の間仕切パネルＰ２，Ｐ３を、前記レール３に沿って移動自在として装着し、隣り合う間仕切パネルＰ２，Ｐ３の対向側面同士を衝合することにより、部屋を仕切るようにした移動間仕切装置において、前記対向側面を構成する側枠のいずれか一方に平面視山形の凸部１９を、他方に前記凸部１９と補形をなし相互に嵌合する凹溝４６を形成するとともに、間仕切パネルの前記対向側面の最大の傾きが、隣り合う間仕切パネルの対向側面に対して傾斜角度θである場合、間仕切パネルＰ２，Ｐ３の高さ寸法をＨとしたとき、前記凸部１９を、その奥行き方向の長さＬが、式；Ｌ≧Ｈｔａｎθを充足するように形成する。【選択図】        図４
2004270281.tif 000002
【特許請求の範囲】
【請求項１】
部屋の天井または天井付近に配設された左右方向を向くレールに、複数の間仕切パネルを、前記レールに沿って移動自在として装着し、隣り合う間仕切パネルの対向側面同士を衝合することにより、部屋を仕切るようにした移動間仕切装置において、前記対向側面を構成する側枠のいずれか一方に平面視山形の凸部を、他方に前記凸部と補形をなし相互に嵌合する凹溝を形成するとともに、間仕切パネルの前記対向側面の最大の傾きが、隣り合う間仕切パネルの対向側面に対して傾斜角度θである場合、間仕切パネルの高さ寸法をＨとしたとき、前記凸部を、その奥行き方向の長さＬが、式；Ｌ≧Ｈｔａｎθを充足するように形成したことを特徴とする移動間仕切装置。
【請求項２】
前記凸部と凹溝を、それぞれ奥行き方向にほぼ一定幅で形成したものとしたことを特徴とする請求項１記載の移動間仕切装置。
【請求項３】
前記凸部を凹溝に嵌合させたときに生ずる両者間の間隙をシールするためのシール部材を、前記凸部または凹溝に設けたことを特徴とする請求項１または２に記載の移動間仕切装置。
【請求項４】
前記凸部または凹溝を構成する部材の内部空隙に、吸音材を挿着したことを特徴とする請求項１〜３のいずれかに記載の移動間仕切装置。
【発明の詳細な説明】
【０００１】
【発明の属する技術分野】
本発明は、移動間仕切装置に係り、特に部屋の天井部分に設けられたレールに沿って移動する複数の間仕切パネルにより、部屋を仕切るようにした移動間仕切装置の遮音性を向上させる技術に関する。
【０００２】
【従来の技術】
移動間仕切装置は、たとえば、実用新案文献１、特許文献１に示されるように公知である。これらの移動間仕切装置は、いずれも隣り合う間仕切パネルの対向側面同士を、磁力を利用して可及的に密着させることにより、遮音性能を向上させようとするものである。
【０００３】
【実用新案文献１】
実公昭５８−５３９１９号公報
【特許文献１】
特開２０００−１０４４４１号公報
【０００４】
しかし、磁力を利用して密着させた場合、間仕切パネル間を再度、引き離す場合に、磁力に抗して引き離さなければならないため、相当の力を要するばかりでなく、レールの経時的な歪みや撓み、間仕切パネルの各部品、あるいは吊支杆などの寸法誤差や組立精度のばらつきなどの諸原因により、その程度によっては、磁力を利用しても、隣り合う間仕切パネルの対向側面同士を密着させることができない場合がある。
【０００５】
たとえば、図５に示すように、間仕切パネル（Ｐ２）の対向側面の傾きが、隣り合う間仕切パネル（Ｐ３）の対向側面に対して傾斜角度θを有する場合、両間仕切パネル（Ｐ２）（Ｐ３）の対向側面に、相互に嵌合する凸部（０１）と凹溝（０２）を設け、前記凸部（０１）の奥行き寸法をｄとした場合、前記角度θの傾斜によって間仕切パネル（Ｐ２）の対向側面下端が、間仕切パネル（Ｐ３）の対向側面における凸部（０１）の基部から寸法Ｄだけ離散すると、両対向側面の下端間に（Ｄ−ｄ）の間隙が生ずることになり、遮音性が大きく損なわれる。
【０００６】
【発明が解決しようとする課題】
本発明は、間仕切パネル（Ｐ２）の対向側面の傾きが、隣り合う間仕切パネル（Ｐ３）の対向側面に対して相当の傾斜角度を有する状態に至った場合においても、隣接する間仕切パネルの対向側面間に、前後方向からの視認において間隙を生じさせずに、良好な遮音性を保持しうるようにした移動間仕切装置を提供することを目的とする。
【０００７】
【課題を解決するための手段】
本発明によると、前記課題は、次のようにして解決される。
（１）  部屋の天井または天井付近に配設された左右方向を向くレールに、複数の間仕切パネルを、前記レールに沿って移動自在として装着し、隣り合う間仕切パネルの対向側面同士を衝合することにより、部屋を仕切るようにした移動間仕切装置において、前記対向側面を構成する側枠のいずれか一方に平面視山形の凸部を、他方に前記凸部と補形をなし相互に嵌合する凹溝を形成するとともに、間仕切パネルの前記対向側面の最大の傾きが、隣り合う間仕切パネルの対向側面に対して傾斜角度θである場合、間仕切パネルの高さ寸法をＨとしたとき、前記凸部を、その奥行き方向の長さＬが、式；Ｌ≧Ｈｔａｎθを充足するように形成したことを特徴とする移動間仕切装置とする。
【０００８】
（２）  上記（１）項において、前記凸部と凹溝を、それぞれ奥行き方向にほぼ一定幅で形成したものとする。
【０００９】
（３）  上記（１）項または（２）項において、前記凸部を凹溝に嵌合させたときに生ずる両者間の間隙をシールするためのシール部材を、前記凸部または凹溝に設ける。
【００１０】
（４）  上記（１）項〜（３）項のいずれかにおいて、前記凸部または凹溝を構成する部材の内部空隙に、吸音材を挿着する。
【００１１】
【発明の実施の形態】
図１は、本発明の一実施形態の移動間仕切装置の正面図、図２は、図１におけるＩＩ〜ＩＩ線拡大横断面図、図３は、同じくＩＩＩ〜ＩＩＩ線拡大横断面図、図４は、間仕切パネル（Ｐ２）の対向側面の傾きが、隣り合う間仕切パネル（Ｐ３）の対向側面に対して傾斜角度θを有する状態に至った場合の図３におけるＩＶ〜ＩＶ線縦断面図である。
なお、図１において紙面の表面側を「前方」、裏面側を「後方」として、以下説明する。
【００１２】
図１に示すように、部屋（１）の天井（２）には、左右方向に長いレール（３）が配設されている。レール（３）には、吊支杆（４）の上端部に設けられたローラ（図示略）が転動自在に遊嵌され、吊支杆（４）によって吊支された間仕切パネル（Ｐ１）（Ｐ２）（Ｐ３）は、レール（３）に沿って左右方向に移動することができるようになっている。
【００１３】
各間仕切パネル（Ｐ１）（Ｐ２）（Ｐ３）は、同一構成であって、図２に示すように、間仕切パネル（Ｐ１）の左右端近傍には、それぞれ基枠（５）（６）が配設され、この各基枠（５）（６）の外側面に、それぞれ隣り合う間仕切パネルに対する対向側面を構成する側枠（７）（８）が取り付けられ、これら左右の側枠（７）（８）間の前後部に、それぞれパネル板（９）（１０）を取り付けて形成されている。
【００１４】
対向側面を構成する側枠（７）（８）は、前後方向に複数個に分割され、分割された各側枠部材（１１）〜（１４）は、緩衝材（１５）（１６）を介して連設されている。
【００１５】
図２において、間仕切パネル（Ｐ１）の右側端部について説明すれば、次のとおりである。
平面視方形をなす上下方向を向く中空管状の基枠（６）の外側面には、緩衝材（１７）を介して、上下方向を向くアルミニウム製の幅広な中央側枠部材（１１）が、止めねじ（１８）によって止着されている。
【００１６】
前記中央側枠部材（１１）は、前後端に平面視山形の外側に向けて突出する一定幅の凸部（１９）（１９）を備え、両凸部（１９）（１９）間には、前記基枠（６）とほぼ同幅の中央凹溝（２０）が形成され、この中央凹溝（２０）の底部は二重構造となっており、その中央で、前記止めねじ（１８）によって基枠（６）に止着されている。
【００１７】
前記中央凹溝（２０）には、図３に示すように、隣接する間仕切パネル（Ｐ２）の対向側面における後記する中央凸部（３３）が嵌合される。
【００１８】
本発明は、詳細は後記するように、隣接する間仕切パネル（Ｐ２）（Ｐ３）の対向側面において、相互に嵌合するように設けられた凸部（たとえば前記中央凸部（３３））とこれと補形をなす凹溝（たとえば前記中央凹溝（２０））とにおいて、凸部の奥行き方向（凸部の軸線方向）の長さが、レールの変形による俯角または仰角、および間仕切パネル（Ｐ２）（Ｐ３）の高さとの間に特定の関係を充足するように形成されていることが特徴である。
【００１９】
前記基枠（６）の前後側面には、平面視が２段Ｌ字状に屈曲された上下方向を向く連結部材（２１）（２１）が、緩衝材（２２）を介して止めねじ（２３）によって止着されている。前記止めねじ（２３）は、音の伝播を防ぐために、頭部を除く周囲がゴム（２３ａ）で被覆されている。
【００２０】
前記中央側枠部材（１１）の前後には、端部側枠部材（１２）（１２）が配設されている。前記端部側枠部材（１２）（１２）は、平面視が内向コ字状部（１２ａ）の内側一端から中央側枠部材（１１）に向けて連設片（１２ｂ）が延出された形状の上下方向を向くアルミニウム製のものであって、緩衝材（２４）を介して止めねじ（２５）によって前記連結部材（２１）に止着されている。
【００２１】
前記中央側枠部材（１１）における凸部（１９）（１９）の基部から、端部側枠部材（１２）（１２）に向けて連設片（１１ａ）（１１ａ）が延出され、この連設片（１１ａ）と、端部側枠部材（１２）における連設片（１２ｂ）とは、相互に対向し、両者の間には、緩衝材（１５）が挾着されている。
【００２２】
パネル板（９）（１０）は、石膏ボード等の遮音材（２６）（２７）を重合固着し、この表面に化粧板（２８）を貼着して形成されている。
このパネル板（９）（１０）は、その右端部（９ａ）（１０ａ）を、端部側枠部材（１２）における内向コ字状部（１２ａ）の内部において、止めねじ（２９）によって連結部材（２１）に止着されている。
【００２３】
中央側枠部材（１１）と、その前後に緩衝材（１５）を介して連設された２つの端部側枠部材（１２）（１２）とからなる側枠（８）は、基枠（６）と２つの連結部材（２１）（２１）を介して、一体化されており、中央側枠部材（１１）における前後端の凸部（１９）（１９）の内部空隙には、ポリウレタンなどからなる吸音材（３０）が挿着されている。
【００２４】
一方、間仕切パネル（Ｐ１）の左側端部について、図２を参照して説明すれば、次のとおりである。
平面視方形をなす上下方向を向く中空管状の基枠（５）の外側面には、緩衝材（３１）を介して、上下方向を向くアルミニウム製の幅広な中央側枠部材（１３）が、止めねじ（３２）によって止着されている。
【００２５】
前記中央側枠部材（１３）は、中央に平面視山形の外側に向けて突出する、前記基枠（５）とほぼ同じ一定幅の中央凸部（３３）を備え、この中央凸部（３３）の底部中央で、止めねじ（３２）によって基枠（５）に止着されている。
【００２６】
前記中央凸部（３３）の前後側面には奥幅広の嵌合凹部（３４）が設けられ、この嵌合凹部（３４）に、弾性舌片（３５ａ）を備えたシール部材（３５）が嵌着されている。
【００２７】
前記中央凸部（３３）は、図３に示すように、隣接する間仕切パネル（Ｐ３）における前記中央側枠部材（１１）の中央凹溝（２０）に嵌合され、前記シール部材（３５）は、前記中央凸部（３３）と中央凹溝（２０）間の間隙をシールする作用をなしている。
【００２８】
前記基枠（５）の前後側面には、平面視が２段Ｌ字状に屈曲された上下方向を向く連結部材（３６）（３６）が、緩衝材（３７）を介して止めねじ（３８）によって止着されている。この止めねじ（３８）も、音の伝播を防ぐために頭部を除く周囲がゴム（３８ａ）で被覆されている。
【００２９】
前記中央側枠部材（１３）の前後には、上下方向を向くアルミニウム製の端部側枠部材（１４）（１４）が、配設されている。
【００３０】
前記端部側枠部材（１４）（１４）は、平面視において、長方形状部（３９）の外側先端に、外側に向けて突出する馬蹄形状凸部（４０）と、パネル板（９）（１０）側に向けて突出する内向コ字状部（４１）とが付設されるとともに、長方形状部（３９）の基部から中央側枠部材（１３）に向けて連設片（４２）が延設された形状を備え、この連設片（４２）をもって、緩衝材（４３）を介して前記連結部材（３６）に止めねじ（４４）によって止着されている。
【００３１】
一方、中央側枠部材（１３）の基部には、前後に配設された端部側枠部材（１４）（１４）に向けて連設片（４５）が延設され、この連設片（４５）と、端部側枠部材（１４）における連設片（４２）とは、相互に対向し、両者の間には、緩衝材（１６）が挾着されて連設部を形成している。
【００３２】
中央側枠部材（１３）と端部側枠部材（１４）（１４）との間に形成された凹溝（４６）には、隣接する間仕切パネル（Ｐ３）の側枠（８）における凸部（１９）（１９）が嵌合される。
【００３３】
前記凸部（１９）（１９）と凹溝（４６）は、それぞれ奥行き方向に一定幅で形成されている。前記凸部（１９）（１９）の奥行きの方向の長さ（図３参照）は、特定の条件を充足するように形成されている。
【００３４】
すなわち、図４に示すように、間仕切パネル（Ｐ２）の対向側面の傾きが、隣り合う間仕切パネル（Ｐ３）の対向側面に対して傾斜角度θである場合、間仕切パネルの高さ寸法をＨとしたとき、前記凸部（１９）（１９）は、その奥行き方向の長さＬが、式；Ｌ≧Ｈｔａｎθを充足するように形成されている。
このような関係は、前記した中央凹溝（２０）に嵌合する中央凸部（３３）についても、その奥行き方向の長さが前記式を充足するように形成されている。
【００３５】
なお、図４に示す実施形態においては、両間仕切パネル（Ｐ２）（Ｐ３）の対向側面が、上端において密着し、下端において離散している場合を示したが、逆に下端において密着し、上端において離散している場合もあり、この場合においても本発明は適用されるものである。
【００３６】
端部側枠部材（１４）における、前記凸部（１９）と対向する面には、奥幅広の嵌合凹部（４７）が設けられ、弾性舌片（４８ａ）を備えるシール部材（４８）が嵌着されている。このシール部材（４８）は、端部側枠部材（１４）と前記凸部（１９）間の間隙をシールする作用をなしている。
前記中央側枠部材（１３）の内部には、ポリウレタンなどからなる吸音材（４９）が挿着されている。
【００３７】
【発明の効果】
本発明によると、次のような効果が奏せられる。
（１）  請求項１記載の発明によれば、レールが、経時的な歪みや撓みなどの変形を生じた場合においても、隣接する間仕切パネルの対向側面間に、前後方向からの視認において間隙を生じることがなく、常に良好な遮音性が得られる。
【００３８】
（２）  請求項２記載の発明によれば、相互に補形をなし嵌合する凸部と凹溝が、それぞれ奥行き方向に一定幅で形成されているために、両者の嵌合が深いか浅いかを問わず、両者の対向する側面間の間隙が一定となるため、常に良好な遮音性が得られる。
【００３９】
（３）  請求項３記載の発明によれば、凸部と凹溝間の間隙がシール部材によってシールされるため、一層良好な遮音性が得られる。
【００４０】
（４）  請求項４記載の発明によれば、吸音材の挿着により、凸部または凹溝自体の遮音性が向上するため、隣接する間仕切パネルの対向側面における遮音性が一層改善される。
【図面の簡単な説明】
【図１】本発明の一実施形態の移動間仕切装置の正面図である。
【図２】図１におけるＩＩ〜ＩＩ線拡大横断面図である。
【図３】同じく、ＩＩＩ〜ＩＩＩ線拡大横断面図である。
【図４】間仕切パネル（Ｐ２）の対向側面の傾きが、隣り合う間仕切パネル（Ｐ３）の対向側面に対して傾斜角度θを有する状態に至った場合の図３におけるＩＶ〜ＩＶ線縦断面図である。
【図５】従来の移動間仕切装置の正面図である。
【符号の説明】
（Ｐ１）（Ｐ２）（Ｐ３）間仕切パネル
（１）部屋
（２）天井
（３）レール
（４）吊支杆
（５）（６）基枠
（７）（８）側枠
（９）（１０）パネル板
（９ａ）（１０ａ）右端部
（１１）（１３）中央側枠部材
（１２）（１４）端部側枠部材
（１２ａ）内向コ字状部
（１２ｂ）連設片
（１５）（１６）（１７）緩衝材
（１８）止めねじ
（１９）凸部
（２０）中央凹溝
（２１）連結部材
（２２）緩衝材
（２３）止めねじ
（２３ａ）ゴム
（２４）緩衝材
（２５）止めねじ
（２６）（２７）吸音材
（２８）化粧板
（２９）止めねじ
（３０）吸音材
（３１）緩衝材
（３２）止めねじ
（３３）中央凸部
（３４）嵌合凹部
（３５）シール部材
（３５ａ）弾性舌片
（３６）連結部材
（３７）緩衝材
（３８）止めねじ
（３８ａ）ゴム
（３９）長方形状部
（４０）馬蹄形状凸部
（４１）内向コ字状部
（４２）連設片
（４３）緩衝材
（４４）止めねじ
（４５）連設片
（４６）凹溝
（４７）嵌合凹部
（４８）シール部材
（４８ａ）弾性舌片
（４９）吸音材
（０１）凸部
（０２）凹溝
【図１】
2004270281.tif 000003
【図２】
2004270281.tif 000004
【図３】
2004270281.tif 000005
【図４】
2004270281.tif 000006
【図５】
2004270281.tif 000007